(57)【要約】【課題】動作履歴や装置情報に映像情報を追加することで自動分析装置における故障原因の特定を容易とした自動分析装置の遠隔監視システムを提供すること。【解決手段】自動分析装置１１と、自動分析装置の動作を制御すると共に、自動分析装置における警報情報を含む動作履歴を記憶する制御装置１２と、ネットワーク５を介して制御装置に接続され、少なくとも警報情報を表示する遠隔監視装置２とを備え、遠隔監視装置により監視する自動分析装置の遠隔監視システム１。自動分析装置の動作状態を撮影し、動作状態に関する画像情報を制御装置に出力する撮影装置１３を設け、遠隔監視装置２は、画像情報と共に少なくとも警報情報を表示する。【選択図】        図１
2005106746.tif 000002
【特許請求の範囲】
【請求項１】
検体を自動的に分析し、警報情報を含む動作履歴を出力する自動分析装置と、
該自動分析装置の動作を制御すると共に、該自動分析装置における前記警報情報を含む動作履歴を記憶する制御装置と、
ネットワークを介して前記制御装置に接続され、少なくとも前記警報情報を表示する遠隔監視装置と、
を備え、前記遠隔監視装置により前記自動分析装置を監視する自動分析装置の遠隔監視システムにおいて、
前記自動分析装置の動作状態を撮影し、当該動作状態に関する画像情報を前記制御装置に出力する撮影装置を設け、
前記遠隔監視装置は、前記画像情報と共に少なくとも前記警報情報を表示することを特徴とする自動分析装置の遠隔監視システム。
【請求項２】
前記遠隔監視装置は、前記警報情報を任意に選択して表示できることを特徴とする請求項１に記載の自動分析装置の遠隔監視システム。
【請求項３】
前記制御装置は、最新の画像情報が順次上書きされ、一定時間内の最新の画像情報が記憶されることを特徴とする請求項１又は２に記載の自動分析装置の遠隔監視システム。
【請求項４】
前記警報情報は、前記自動分析装置に与える影響度に基づいて予めランク付けされ、当該ランクには、前記制御装置への画像情報の上書きを停止させるランクが含まれることを特徴とする請求項３に記載の自動分析装置の遠隔監視システム。
【発明の詳細な説明】
【技術分野】
【０００１】
本発明は、自動分析装置の遠隔監視システムに関するものである。
【背景技術】
【０００２】
従来、自動分析装置を遠隔地で監視する遠隔監視システムとして、分析装置のエラーメッセージ等の警報情報や測定回数，分析結果，分析装置が有する分析に関する各種パラメータ或いは稼動中における分析装置内部の温度や電圧等に関する動作履歴をウェッブページに表示したり、電子メール形式で送信したりするものが知られている（例えば、特許文献１，２参照。）。
【０００３】
【特許文献１】特開２００１−２２９２９１号公報
【特許文献２】特開平１０−２１５４９４号公報
【発明の開示】
【発明が解決しようとする課題】
【０００４】
ところで、上述の遠隔監視システムにおいては、自動分析装置で故障が発生した場合、動作履歴や装置情報を元にサービスマンが故障原因を推定している。しかし、これらの情報だけでは故障発生時における自動分析装置の詳細状況を明確に把握することができず、故障に対して確実な対処ができない場合もある。特に、人為的な自動分析装置の操作ミスや自動分析装置以外、例えば周辺機器を原因とする故障の場合、上記動作履歴や装置情報だけでは故障原因の特定は困難である。このため、外観で視認可能な破損部分等を修理することはできるが、故障に至った原因を確実に把握して故障発生の根本的な防止対策を採ることは困難であった。例えば、推定した原因から故障を試験的に再現することで原因の特定を試みたとしても、必ず満足できる結論が得られるとは限らなかった。
【０００５】
本発明は、上記に鑑みてなされたもので、動作履歴や装置情報に映像情報を追加することで自動分析装置における故障原因の特定を容易とした自動分析装置の遠隔監視システムを提供することを目的とする。
【課題を解決するための手段】
【０００６】
上述した課題を解決し、目的を達成するために、請求項１に係る自動分析装置の遠隔監視システムは、検体を自動的に分析し、警報情報を含む動作履歴を出力する自動分析装置と、該自動分析装置の動作を制御すると共に、該自動分析装置における前記警報情報を含む動作履歴を記憶する制御装置と、ネットワークを介して前記制御装置に接続され、少なくとも前記警報情報を表示する遠隔監視装置と、を備え、前記遠隔監視装置により前記自動分析装置を監視する自動分析装置の遠隔監視システムにおいて、前記自動分析装置の動作状態を撮影し、当該動作状態に関する画像情報を前記制御装置に出力する撮影装置を設け、前記遠隔監視装置は、前記画像情報と共に少なくとも前記警報情報を表示することを特徴とする。
【０００７】
請求項１の発明によれば、前記警報情報に加えて自動分析装置の動作状態に関する画像情報を利用することができ、自動分析装置における故障原因の特定が容易となる。
【０００８】
また、請求項２に係る自動分析装置の遠隔監視システムは、上記の発明において、前記遠隔監視装置は、前記警報情報を任意に選択して表示できることを特徴とする。
【０００９】
請求項２の発明によれば、故障原因を特定するための情報を必要に応じて増加する。
【００１０】
また、請求項３に係る自動分析装置の遠隔監視システムは、上記の発明において、前記制御装置は、最新の画像情報が順次上書きされ、一定時間内の最新の画像情報が記憶されることを特徴とする。
【００１１】
請求項３の発明によれば、遠隔監視装置は故障直前の画像情報を制御装置から読み出すことによって、自動分析装置に関する故障原因の特定に活用することができる。
【００１２】
また、請求項４に係る自動分析装置の遠隔監視システムは、上記の発明において、前記警報情報は、前記自動分析装置に与える影響度に基づいて予めランク付けされ、当該ランクには、前記制御装置への画像情報の上書きを停止させるランクが含まれることを特徴とする。
【００１３】
請求項４の発明によれば、故障原因を特定するうえで重要な画像情報が事故によって失われることがないようにして、自動分析装置に関する故障原因の特定が一層容易になるようにしている。
【発明の効果】
【００１４】
本発明に係る自動分析装置の遠隔監視システムは、動作履歴や装置情報に映像情報を追加することで自動分析装置における故障原因の特定を容易にすることができるという効果を奏する。
【発明を実施するための最良の形態】
【００１５】
以下に、本発明の自動分析装置の遠隔監視システムに係る実施の形態を図面に基づいて詳細に説明する。
【００１６】
実施の形態
図１は、本発明の自動分析装置の遠隔監視システムに係る実施の形態の概略構成を示すブロック図である。図２は、図１の自動分析装置の遠隔監視システムで用いる遠隔監視装置におけるディスプレイに表示される画像情報と警報情報とを示す図である。自動分析装置の遠隔監視システム（以下、単に「遠隔監視システム」という）１は、図１に示すように、遠隔監視装置２と複数の検査室Ａ〜Ｑとがネットワーク５を介して接続されている。検査室Ａ〜Ｑは同様に構成され、例えば、検査室Ｋは、図１に示すように、自動分析装置１１、制御装置１２及び撮影装置１３を備え、制御装置１２は、通信装置１４を介してネットワーク５と接続されている。これにより、遠隔監視システム１においては、遠隔監視装置２がネットワーク５を介して複数の検査室Ａ〜Ｎにおける制御装置１２と接続され、検査室Ａ〜Ｎにおけるそれぞれの自動分析装置１１を遠隔監視している。
【００１７】
遠隔監視装置２は、複数の検査室Ａ〜Ｎにおける制御装置１２との間でネットワーク５を介してファイル転送（ＦＴＰ）や電子メール（Ｅ−メール）の転送を行うことができるパーソナルコンピュータで、ディスプレイ２ａを有している。遠隔監視装置２は、検査室Ａ〜Ｎのそれぞれの自動分析装置１１における警報情報を含む動作履歴の他、撮影装置１３が撮影した自動分析装置１１の動作状態に関する画像情報を表示し、検査室Ａ〜Ｎにおけるそれぞれの自動分析装置１１を遠隔監視する。このとき、遠隔監視装置２は、後述する記憶装置１２ｂにアクセスすることで、画像情報と少なくとも前記警報情報とを表示することができ、例えば、警報情報のうちの最新の１以上の警報情報と画像情報とを表示することができる。但し、遠隔監視装置２は、この他、警報情報と、それ以外の動作回数等の動作履歴とを必要に応じて任意に選択して表示することもできる。
【００１８】
ネットワーク５は、公衆通信回線，インターネット，ＬＡＮ等を含むコンピュータネットワークで、遠隔監視装置２と検査室Ａ〜Ｎにおける制御装置１２との間を接続している。
【００１９】
自動分析装置１１は、検体を自動的に分析し、警報情報を含む動作履歴を出力する分析装置、例えば、試料と試薬とを混合して行われる化学反応を光学的或いは電気化学的な手段を用いて測定し、前記試料に含まれる成分を連続して自動的に分析する血液分析装置や尿分析装置等の分析装置である。自動分析装置１１は、エラーメッセージ等の警報情報の他、動作回数，分析に関する各種パラメータ，分析結果，分析した試料の種類や識別番号，試薬名或いは稼動中における分析装置内部の温度や電圧等の動作履歴や実験室を特定するコード番号等を制御装置１２へ出力する。ここで、警報情報には、自動分析装置１１において故障が発生した年月日，時間，故障を種類毎に分類したコード番号，故障発生場所を示す位置コード，警報コード，警報発生のタイミング等が含まれている。また、警報情報は、自動分析装置１１に与える影響度に基づいて予めランク付けされ、このランクには、制御装置１２への後述する画像情報の上書きを停止させるランクが含まれている。
【００２０】
制御装置１２は、中央処理装置１２ａ及び記憶装置１２ｂを備えたコンピュータであり、図示しない入力装置（キーボード等）を有している。また、制御装置１２にはディスプレイを備えた表示装置１２ｃが接続されている。制御装置１２は、自動分析装置１１が出力する警報情報の具体的内容や前記ランク付けの他、画像情報の制御装置１２への上書き停止に関する指令信号の出力を、前記入力装置によって予め任意に設定することができる。
【００２１】
撮影装置１３は、自動分析装置１１の動作状態を撮影し、その画像情報を制御装置１２に出力する、ＣＣＤ等を用いたビデオカメラである。撮影装置１３は、クリップ等の簡易な固定手段を用いて所望の位置へ設置することができる。これにより、撮影装置１３は、設置位置を適宜変更でき、自動分析装置１１の全体或いは特定の部分を任意に選択して撮影することができる。
【００２２】
中央処理装置１２ａは、自動分析装置１１の動作を制御し、記憶装置１２ｂは、自動分析装置１１における警報情報や分析結果を含む動作履歴及び撮影装置１３が撮影した自動分析装置１１の動作状態に関する画像情報を記憶する。このとき、記憶装置１２ｂは、最新の画像情報が順次上書きされ、一定時間内の最新の画像情報が記憶される。また、画像情報を更新する時間間隔は、任意に設定，変更が可能である。表示装置１２ｃは、記憶装置１２ｂに記憶された自動分析装置１１における警報情報や分析結果を含む動作履歴及び撮影装置１３が撮影した自動分析装置１１の動作状態に関する画像情報を表示する。
【００２３】
通信装置１４は、ネットワークアダプタとルータの機能を有している。中央処理装置１２ａは、自動分析装置１１にトラブル等が発生した場合に、自動的に通信装置１４を介して遠隔監視装置２に通知する。通知の手段としては、電子メール等が用いられる。
【００２４】
遠隔監視システム１は以上のように構成され、遠隔監視装置２によって以下のようにして自動分析装置１１を何時でも遠隔監視することができる。例えば、検査室Ｋの自動分析装置１１を遠隔監視する場合、遠隔監視装置２は、ネットワーク５を介して制御装置１２にアクセスする。そして、記憶装置１２ｂに記憶された、自動分析装置１１の警報情報や分析結果を含む動作履歴及び撮影装置１３が撮影した自動分析装置１１の動作状態に関する画像情報を読み込んで表示する。
【００２５】
このとき、遠隔監視システム１においては、遠隔監視装置２が、ディスプレイ２ａ上に自動分析装置１１に関する画像情報Ｉiと警報情報Ｉaとを、例えば、図２に示すように、領域を区切って表示することができる。ここで、図２に示す警報情報Ｉaにおいては、ＹＹ．ＭＭ．ＤＤが、故障が発生した年月日を示し、Ｈ１：Ｍ１が、Ｈ１時Ｍ１分に故障が発生したことを示している。そして、ＸＸＸ１が、発生した故障のコード番号を示し、引き続くかっこ内に記載されたａ１が故障発生場所を示す位置コードであり、ｂｂｂ１は警報コードを、Ｃ１は警報が発生した際における自動分析装置１１の動作タイミングを、それぞれ示している。ここで、ディスプレイ２ａは、画像情報Ｉiと警報情報Ｉaとを重畳表示してもよい。
【００２６】
このとき、オペレータは、自動分析装置１１を遠隔監視するうえで必要があれば、遠隔監視装置２に警報情報を任意に選択して表示させることができる。例えば、最新の警報情報から２つ或いは３つというように、任意に選択して表示させることができる。このようにすると、故障原因を特定するための情報が増え、故障原因の特定がより容易になる。
【００２７】
また、制御装置１２は、最新の画像情報が順次上書きされ、一定時間内の最新の画像情報が記憶されるので、遠隔監視装置２は故障直前の画像情報を読み出すことができ、自動分析装置１１に関する故障原因の特定に活用することができる。
【００２８】
しかも、警報情報は、自動分析装置１１に与える影響度に基づいて予めランク付けされ、このランクには、制御装置１２への画像情報の上書きを停止させるランクが含まれている。このため、制御装置１２においては、故障原因を特定するうえで重要な画像情報が失われることがなく、自動分析装置１１に関する故障原因の特定が一層容易になる。
【００２９】
上述のように遠隔監視システム１においては、オペレータが遠隔監視装置２を操作することによって、故障の際に警報情報Ｉaの他に自動分析装置１１の動作状態に関する画像情報を遠隔地において得ることができる。このため、オペレータは、遠隔監視システム１を用いることで、自動分析装置１１に関する故障原因を特定するための情報が増え、容易に故障原因を特定することができるようになると共に、故障に至った原因を把握して事故の防止対策を採ることが可能となる。
【００３０】
このとき、オペレータは、必要に応じて自動分析装置１１に関する警報情報以外の動作回数，分析に関する各種パラメータ，分析結果，分析した試料の種類や識別番号，試薬名或いは稼動中における分析装置内部の温度や電圧等の動作履歴を任意に選択して遠隔監視装置２に表示することもできる。
【００３１】
また、故障原因が特定された自動分析装置１１と製造年或いは製造年月が同じ自動分析装置が他の検査室に配備されている場合、その自動分析装置にも同様の故障が発生する可能性がある。そこで、このような自動分析装置が他の検査室に配備されていた場合、オペレータは、遠隔監視装置２によってその自動分析装置についても念のためチェックするようにしてもよい。
【図面の簡単な説明】
【００３２】
【図１】本発明の自動分析装置の遠隔監視システムに係る実施の形態の概略構成を示すブロック図である。
【図２】図１の遠隔監視システムで用いる遠隔監視装置におけるディスプレイに表示される画像情報と警報情報とを示す図である。
【符号の説明】
【００３３】
１  遠隔監視システム
２  遠隔監視装置
２ａ  ディスプレイ
５  ネットワーク
１１  自動分析装置
１２  制御装置
１２ａ  中央処理装置
１２ｂ  記憶装置
１２ｃ  表示装置
１３  撮影装置
１４  通信装置
Ａ〜Ｑ  検査室
【図１】
2005106746.tif 000003
【図２】
2005106746.tif 000004